(57)【要約】【課題】  吸込み口にフィルターや保護ガードを有する送風機において、フィルターや保護ガードなどに付着した塵埃を容易かつ自動的に除去することができる送風装置を得ること。【解決手段】  背面側に吸込み口２及び正面側に吹出し口３を有する本体箱体１と、この本体箱体の内部に設けられた正転及び逆転が可能なモータ５と、このモータの回転軸に取り付けられた軸流ファン４と、前記吸込み口に取り付けられたフィルターもしくは保護ガード８とを備え、さらに前記モータの制御回路に該モータの回転方向を反対方向に切り替えるスイッチ手段１１と、このスイッチ手段の動作時間を設定するタイムスイッチ１２とを設け、ある一定時間間隔で逆転運転を行い、前記フィルターもしくは保護ガードに付着した塵埃を吹き飛ばして清掃を行う。【選択図】      図１
2005299493.tif 000002
【特許請求の範囲】
【請求項１】
背面側に吸込み口及び正面側に吹出し口を有する本体箱体と、この本体箱体の内部に設けられた正転及び逆転が可能なモータと、このモータの回転軸に取り付けられた軸流ファンと、前記吸込み口に取り付けられたフィルターもしくは保護ガードとを備え、さらに前記モータの制御回路に該モータの回転方向を反対方向に切り替えるスイッチ手段と、このスイッチ手段の動作時間を設定するタイムスイッチとを設け、ある一定時間間隔で逆転運転を行い、前記フィルターもしくは保護ガードに付着した塵埃を吹き飛ばして清掃を行うことを特徴とする送風装置。
【請求項２】
背面側に吸込み口及び正面側に吹出し口を有する本体箱体と、この本体箱体の内部に設けられた正転及び逆転が可能なモータと、このモータの回転軸に取り付けられた軸流ファンと、前記吸込み口に取り付けられたフィルターもしくは保護ガードと、前記軸流ファンの中心部に対応する前記フィルターもしくは保護ガードの中央部に取り付けられた円板とを備え、さらに前記モータの制御回路に該モータの回転方向を反対方向に切り替えるスイッチ手段と、このスイッチ手段の動作時間を設定するタイムスイッチとを設け、ある一定時間間隔で逆転運転を行い、前記フィルターもしくは保護ガードに付着した塵埃を吹き飛ばして清掃を行うことを特徴とする送風装置。
【請求項３】
送風機を運転開始のある一定の間のみ逆転運転させることを特徴とする請求項１又は２記載の送風装置。
【請求項４】
送風機を運転終了のある一定の間のみ逆転運転させることを特徴とする請求項１又は２記載の送風装置。
【請求項５】
前記円板の外径を軸流ファンの外径に対して４５〜６５％の大きさとすることを特徴とする請求項２記載の送風装置。
【請求項６】
逆転運転時の風量を正転運転時よりも多くすることを特徴とする請求項１乃至５のいずれかに記載の送風装置。
【請求項７】
逆転運転時の風量を正転運転時よりも少なく調整できることを特徴とする請求項１乃至５のいずれかに記載の送風装置。
【発明の詳細な説明】
【技術分野】
【０００１】
本発明は、吸込み口にフィルターや保護ガードを有する送風機において、フィルターや保護ガードなどに付着した塵埃を容易に除去することができる送風装置に関する。
【背景技術】
【０００２】
従来の送風機で吸込み口の清掃を行う送風装置としては、特許文献１に記載されている。これは、枠体の背面の空気取入口と前面の温風吹出口の間に温風流路を設け、空気取入口付近に対流ファンを取付け、室内空気を空気取入口から温風流路へ送り、温風に変えて温風吹出口から吹出す暖房機において、対流ファンの背部にフィルターを取付け、かつ、フィルターの外側に密着して可動するブラシを取付け、フィルターの清掃時に駆動部材によってブラシを可動し、対流ファンを逆転することによって、フィルターに付着したほこりをブラシによって取り除き、対流ファンの風で吹き飛ばしてフィルターの清掃を行うものである。
また、乾燥機等の熱処理装置において軸流ファンを逆回転させてフィルターの清掃を行うものも知られている（例えば、特許文献２参照）。
【０００３】
【特許文献１】特開平８−２１０７０５号公報（請求項１、図１）
【特許文献２】特開平５−１２６４６７号公報（請求項１、図１）
【発明の開示】
【発明が解決しようとする課題】
【０００４】
従来のフィルターもしくは保護ガードを備えた吸込み口を持つ送風機では、塵埃等が吸込み口に付着し、目詰まりを起こしていくことが想定される。その場合の処理として、フィルターもしくは保護ガードを取外し定期的に清掃を行っていた。
しかし、送風機が高所に取付けられている場合、足場を組まなければ定期的な清掃が行えないといったことから、重労働となりまたメンテナンスコストがかかるといった課題がある。定期的なメンテナンスが行うことが困難な場所へ送風機を設置した場合、塵埃等の付着によって吸込み口が塞がれ、送風できなくなるといった課題がある。
また、軸流ファンを逆回転させることにより吸込み口の清掃を行う送風装置では、ファンの中心部分のほこりを吹き飛ばすことができずに残ってしまうといった課題がある。さらに、塵埃等が付着して時間が経過してしまうと、フィルターもしくは保護ガードに塵埃が固着し、吹き飛ばすことができなくなるといった課題もある。
特許文献１に示すような送風装置を用いれば、吸込み口の清掃を行うことが可能になるが、フィルターに付着したほこりを取り除くための可動ブラシを別な装置として設けなければならなくなり、コストがかかるといった課題がある。また可動する機構のため、ブラシ自体のメンテナンスが必要となってしまうといった課題もある。
また、特許文献２では、軸流ファンの逆転運転を手動で行う必要があるため、操作が面倒であるという課題がある。
【０００５】
本発明は、上述のような課題を解決するためになされたもので、吸込み口にフィルターや保護ガードを有する送風機において、フィルターや保護ガードなどに付着した塵埃を容易かつ自動的に除去することができる送風装置を得ることを目的とする。
【課題を解決するための手段】
【０００６】
前記課題を解決するため、本発明に係る送風装置は、背面側に吸込み口及び正面側に吹出し口を有する本体箱体と、この本体箱体の内部に設けられた正転及び逆転が可能なモータと、このモータの回転軸に取り付けられた軸流ファンと、前記吸込み口に取り付けられたフィルターもしくは保護ガードとを備え、さらに前記モータの制御回路に該モータの回転方向を反対方向に切り替えるスイッチ手段と、このスイッチ手段の動作時間を設定するタイムスイッチとを設け、ある一定時間間隔で逆転運転を行い、前記フィルターもしくは保護ガードに付着した塵埃を吹き飛ばして清掃を行うことを特徴とするものである。
【発明の効果】
【０００７】
本発明によれば、吸込み口に取付けられている、フィルターもしくは保護ガードに付着した塵埃を、それが固着する前に一定時間間隔で軸流ファンを逆転させ、吹き飛ばすことによって清掃を行い、吸込み口の目詰まりの要因を除去することができる。
また、送風装置が高所に設置されている場合であっても容易かつ自動的にフィルターもしくは保護ガードの清掃を行うことができる。
さらに、フィルターや保護ガードを目詰まりさせることなく、良好に送風させることができるため、定期的なメンテナンス回数を減らすことができ、メンテナンス費用を削減できるといった効果がある。
【発明を実施するための最良の形態】
【０００８】
以下、図面を参照して、本発明の実施の形態を説明する。
【０００９】
実施の形態１．
図１は本発明の実施の形態１における送風機の内部構造を示す断面図、図２は図１の送風機を例えば３台装備した送風装置の背面図、図３は図２の平面図、図４は図２の正面図である。又図５は本実施の形態における回路図である。
この送風装置１０は、室内の送風や設備の冷却用として天吊又は床置き又は壁取付けの状態にて設置される。送風装置１０は、六面箱体状の本体箱体１を備え、本体箱体１には背面側に吸込み口２を、前面側に吹出し口３が設けられている。また、本体箱体１の内部は送風機の台数に応じて仕切られており、図１では送風機が１台のものを示し、図２では送風機が３台のものを例示している。そして、本体箱体１の内部には、送風機１台につき、オリフィス６内部に設けられた軸流ファン４と、回転軸に取り付けられた軸流ファン４を正転及び逆転させるモータ５とが取り付けられ、さらに前面側の吹出し口３を形成するための共通のエアーガイド７が取り付けられている。
そして、上記吸込み口２には、本体箱体内部へ塵埃もしくは異物が入らないようにフィルターもしくは保護ガード８が設けられている。
【００１０】
吸込み口２から吸込まれた気流は、オリフィス６内の軸流ファン４、エアーガイド７を通って吹出し口３より送風される。例えば室内の送風の場合、室内空気中に浮遊している塵埃が吸込み口２に取付けられているフィルターもしくは保護ガード８を通過する際に付着し、フィルターもしくは保護ガード８の上に溜まっていく。特に、室内の塵埃の量が多いほどフィルターもしくは保護ガード８が短時間で目詰まりを起こしてしまうケースも少なくない。目詰まりしたまま送風装置を使用したのでは、所定の送風能力を十分に発揮することができない。
また、送風装置が高所に設置されている場合、フィルターもしくは保護ガード８の目詰まり除去作業時、足場を組む必要があるため、非常に重労働になり、また危険を伴う作業となる。そのため、多額のメンテナンス費用が必要となってしまう。
【００１１】
そこで、本実施の形態では、図５に示すように、モータ５の制御回路に、モータ５の回転方向を反対方向に切り替えるスイッチ手段１１（例えば、リレースイッチ）と、スイッチ手段９の動作時間を設定するタイムスイッチ１２とを組み込むものである。モータ５の制御回路は本体内部に設けてもよいし、外部に設けてもよい。
【００１２】
本実施の形態によれば、タイムスイッチ１２にて設定された時刻になると、タイムスイッチ１２がオンとなり、スイッチ手段１１を図５に示す実線の位置から破線の位置へ切り替える。これによってモータ５は正転状態から逆転状態に切り替わるので、送風が逆に吸込み口２から出る方向へ行われ、吸込み口２に取り付けられたフィルターもしくは保護ガード８に溜まった塵埃をそれが固着する前に、吹き飛ばして清掃することができる。例えば、この逆転運転を行う時間を就業時間外に設定しておけば、塵埃が舞うことによる問題はない。また、適切な逆転運転時間を設定することにより、塵埃がフィルターもしくは保護ガード８に付着するのをできるだけ少なくすることも可能である。
なお、タイムスイッチ１２は所定の逆転運転時間が経過するとオフとなり、これによりスイッチ手段１１はモータ５を正転側（図５の実線位置）へ切り替える。
上記送風装置１０の構造により、フィルターもしくは保護ガード８の目詰まりによる清掃作業は、フィルターもしくは保護ガードを取外すことなく簡単かつ自動的に作業を終了させることができる。
【００１３】
実施の形態２．
本実施の形態では、上記実施の形態１において、タイムスイッチ１２により送風機を運転開始のある一定の間のみ逆転運転させ、清掃を行う機能を持たせるものである。これにより、運転時間外に電源を切っていても問題なく、フィルターもしくは保護ガード８の清掃を行うことができる。
【００１４】
実施の形態３．
本実施の形態では、上記実施の形態１において、タイムスイッチ１２により送風機を運転終了のある一定の間のみ逆転運転させ、清掃を行う機能を持たせるものである。これにより、運転時間外に電源を切っていても問題なく、フィルターもしくは保護ガード８の清掃を行うことができる。
【００１５】
実施の形態４．
本実施の形態では、上記実施の形態１において、軸流ファン４の中心部では風の流れが弱いため、軸流ファン中心部の正面（図１の背面側から見た正面）についた塵埃を吹き飛ばすことができない箇所については、軸流ファン４の中心部に対応するフィルターもしくは保護ガード８の中央部に円板９を取り付けるものである。これにより、軸流ファン４の中心部付近に付着する塵埃を少なくすることができる。この円板９の大きさを大きくしすぎてしまうと、送風能力が落ちてしまい、小さすぎてしまうと塵埃がフィルターもしくは保護ガード８に堆積し始めてしまうため、適当な大きさで設定することが重要なポイントである。
送風能力を確保し、かつ、塵埃がフィルターもしくは保護ガード８に堆積しない円板９の外径は、軸流ファン外径に対して４５〜６５％のものを設定する。
また、本実施の形態では、上記の実施の形態１乃至３のいずれかを実施する。
【００１６】
実施の形態５．
本実施の形態では、上記実施の形態１において、逆転運転時の風量を正転運転時よりも多くするものである。すなわち、逆転運転時にはモータ５の回転数を正転運転時よりも増加させるように制御回路を構成する。これにより、フィルターもしくは保護ガード８の清掃を短時間に効果的に行うことができる。
【００１７】
実施の形態６．
本実施の形態では、上記実施の形態１において、逆転運転時の風量を正転運転時よりも少なく調整できる機能を持たせるものである。すなわち、逆転運転時にはモータ５の回転数を正転運転時よりも減少するように制御回路を構成する。これにより、フィルターもしくは保護ガード８の清掃を行う際に塵埃が舞うことに対する問題を対処することができる。
【図面の簡単な説明】
【００１８】
【図１】実施の形態における送風機の内部構造を示す断面図である。
【図２】３台の送風機を持つ送風装置の背面図である。
【図３】図２の平面図である。
【図４】図２の正面図である。
【図５】実施の形態における送風機の回路図である。
【符号の説明】
【００１９】
１  本体箱体、２  吸込み口、３  吹出し口、４  軸流ファン、５  モータ、６  オリフィス、７  エアーガイド、８  フィルターもしくは保護ガード、９  円板、１０  送風装置、１１  スイッチ手段、１２  タイムスイッチ。
【図１】
2005299493.tif 000003
【図２】
2005299493.tif 000004
【図３】
2005299493.tif 000005
【図４】
2005299493.tif 000006
【図５】
2005299493.tif 000007